(57)【要約】【課題】箱体の側面に設けられた開口部を塞ぐ保護板の取り付け構造を簡素化し、箱体内のスペースを広くする。【解決手段】電気機器を収納する箱体１と、箱体１の一側面に設けられた開口部２と、この開口部２を塞ぐ保護板４と、保護板４の両端に設けられた引掛かり部を有する係止金具１０と、係止金具１０に対向する開口部２の周りに設けられるとともに、この係止金具１０が差し込まれる係止孔１１とを備えたことを特徴とする。【選択図】図１
2008228528.tif 000002
【特許請求の範囲】
【請求項１】
電気機器を収納する箱体と、
前記箱体の一側面に設けられた開口部と、
前記開口部を塞ぐ保護板と、
前記保護板に設けられた係止金具と、
前記係止金具に対向する前記開口部の周りに設けられるとともに、この係止金具が差し込まれる係止孔とを備えたことを特徴とする金属閉鎖形スイッチギヤ。
【請求項２】
前記係止金具をＬ字状とし、
前記係止孔を楕円状としたことを特徴とする請求項１に記載の金属閉鎖形スイッチギヤ。
【請求項３】
前記係止孔の長手方向を前記箱体の上下方向に設けたことを特徴とする請求項１または請求項２に記載の金属閉鎖形スイッチギヤ。
【請求項４】
前記保護板を透明としたことを特徴とする請求項１乃至請求項３のいずれか１項に記載の金属閉鎖形スイッチギヤ。
【請求項５】
前記保護板の表面に導電性の透明フィルムを貼り付けたことを特徴とする請求項４に記載の金属閉鎖形スイッチギヤ。
【発明の詳細な説明】
【技術分野】
【０００１】
本発明は、箱体の一側面に開口部を有し、この開口部を保護板で覆う金属閉鎖形スイッチギヤに関する。
【背景技術】
【０００２】
従来、金属閉鎖形スイッチギヤには、箱体の側板などに開口部が設けられ、収納した電気機器の点検などが行われる。そして、開口部には、これを塞ぐ保護板がボルトで固定されている（例えば、特許文献１参照）。
【０００３】
この種の金属閉鎖形スイッチギヤには、図６の正面図および図７の側面図に示すように、図示しない遮断器などの電気機器を収納した箱体１の背面などに開口部２が設けられている。開口部２には、持ち運びをするための握手３を取り付けた保護板４がボルト５で締め付け固定される。保護板４の四隅には、図示下部側が大きく図示上部側が小さいだるま状の孔６が設けられている。固定においては、仮止めをしたボルト５の頭部分に大きい孔部分を貫通させ、保護板４を箱体１に当接させる。そして保護板４を図示下方に移動させてボルト５の頭部分に、小さい孔を位置させ、ボルト５を所定値で締め付けるものである。なお、箱体１側には、ボルト５と対向する部分にナット７が溶接で取り付けられている。
【特許文献１】特開２００２−５８１１６号公報  （第２ページ、図１）
【発明の開示】
【発明が解決しようとする課題】
【０００４】
上記の従来の金属閉鎖形スイッチギヤにおいては、次のような問題がある。  
ボルト５やナット７を取り付けるためのスペースが必要となり、開口部２が狭くなるとともに、箱体１内に収納する電気機器の配置に制約が生じていた。特に、箱体１内の側面には、制御用品を取り付けることが多く、大きな制約を受けていた。このため、保護板４の取り付けを簡素化し、箱体１内を有効に使用できることが望まれていた。
【０００５】
本発明は上記問題を解決するためになされたもので、開口部を塞ぐ保護板の取り付け構造を簡素化し、箱体内のスペースを有効に活用し得る金属閉鎖形スイッチギヤを提供することを目的とする。
【課題を解決するための手段】
【０００６】
上記目的を達成するために、本発明の金属閉鎖形スイッチギヤは、電気機器を収納する箱体と、前記箱体の一側面に設けられた開口部と、前記開口部を塞ぐ保護板と、前記保護板に設けられた係止金具と、前記係止金具に対向する前記開口部の周りに設けられるとともに、この係止金具が差し込まれる係止孔とを備えたことを特徴とする。
【発明の効果】
【０００７】
本発明によれば、箱体の開口部を塞ぐ保護板に係止金具を設け、この係止金具を開口部の外周に設けた係止孔に差し込んで保護板を固定しているので、保護板の取り付け構造を簡素化することができ、箱体内のスペースを有効に活用することができる。
【発明を実施するための最良の形態】
【０００８】
以下、図面を参照して本発明の実施例を説明する。
【実施例１】
【０００９】
先ず、本発明の実施例１に係る金属閉鎖形スイッチギヤを図１乃至図４を参照して説明する。図１は、本発明の実施例１に係る金属閉鎖形スイッチギヤの構成を示す正面図、図２は、本発明の実施例１に係る金属閉鎖形スイッチギヤの構成を断面して示す要部側面図、図３は、本発明の実施例１に係る金属閉鎖形スイッチギヤの保護板を示す拡大側面図、図４は、本発明の実施例１に係る金属閉鎖形スイッチギヤの箱体を示す拡大正面図である。なお、各図において、従来と同様の構成部分については、同一符号を付した。
【００１０】
図１および図２に示すように、図示しない遮断器などの電気機器を収納した箱体１の背面などの一側面には、矩形状の開口部２が設けられている。開口部２には、持ち運びをするための握手３を取り付けた鋼板の保護板４が取り付けられている。保護板４の両端四隅には、図３に示すように、端部を例えば直角に折り曲げて形成したＬ字状の係止金具１０が設けられている。係止金具１０は、折り曲げた根元側の幅が狭く、先端側が図示下方に突出した幅広部１０ａとなっている。
【００１１】
また、箱体１には、図４に示すように、楕円状の係止孔１１が係止金具１０に対向して設けられている。係止孔１１の長円側は、図示上下方向に位置し、長円側の長さは、係止金具１０の幅広部１０ａよりも長い。なお、係止金具１０は、引掛かり部を有するＴ字状のようなものでもよく、また、このような金具をボルト締めやスポット溶接などで保護板４に固定してもよい。更に、係止孔１１は、長方形状でもよい。
【００１２】
保護板４の固定は、係止金具１０の幅広部１０ａを係止孔１１に差し込み、保護板４を図示下方に移動させ、幅が狭くなった部分を係止孔１１の図示下部側に当接させることにより行う。Ｌ字状の幅が狭い部分が係止孔１１に当接すると、幅広部１０ａの突起側が係止孔１１の図示下部に引掛かり、保護板４を容易に取り外すことができず、確実に固定することができる。また、係止孔１１の長円側、所謂長手方向を箱体１の図示上下方向に設けているので、取り付け時に保護板４が図示左右にぶれることがなく、容易に固定することができる。なお、取り外しは、保護板４を一旦、図示上方に持ち上げて、幅広部１０ａを係止孔１１から引き抜くことにより行う。
【００１３】
これにより、開口部２を塞ぐ保護板４の取り付け構造が簡素化でき、大きな開口部２とすることができる。また、箱体１内に従来のようなナットを設ける必要がなく、箱体１の側面に配線用遮断器などの制御用品を取り付けるスペースができ、箱体１の幅方向を有効に活用することができる。
【００１４】
上記実施例１の金属閉鎖形スイッチギヤによれば、保護板４にＬ字状の係止金具１０を設け、この係止金具１０を開口部２の周りに設けた係止孔１１に差し込んで保護板４を固定しているので、保護板４の取り付け構造を簡素化することができ、箱体１内のスペースを有効に活用することができる。
【実施例２】
【００１５】
次に、本発明の実施例２に係る金属閉鎖形スイッチギヤを図５を参照して説明する。図５は、本発明の実施例２に係る金属閉鎖形スイッチギヤの構成を示す正面図である。なお、この実施例２が実施例１と異なる点は、保護板を透明にしたことである。図５において、実施例１と同様の構成部分においては、同一符号を付し、その詳細な説明を省略する。
【００１６】
図５に示すように、保護板１２は、両側の鋼板部１２ａと、中央部の例えばアクリル樹脂、強化ガラスなどからなる透明部１２ｂとから構成されている。図示では握手３を透明部１２ｂに取り付けているが、鋼板部１２ａに取り付けてもよい。なお、透明部１２ｂに例えばポリエステルフィルムからなる導電性の透明フィルムを貼り付けて箱体１と同電位にすれば、この透明部１２ｂを電位固定することができる。
【００１７】
上記実施例２の金属閉鎖形スイッチギヤによれば、実施例１による効果のほかに、開口部２から箱体１内の電気機器を目視点検することができる。
【図面の簡単な説明】
【００１８】
【図１】本発明の実施例１に係る金属閉鎖形スイッチギヤの構成を示す正面図。
【図２】本発明の実施例１に係る金属閉鎖形スイッチギヤの構成を断面して示す要部側面図。
【図３】本発明の実施例１に係る金属閉鎖形スイッチギヤの保護板を示す拡大側面図。
【図４】本発明の実施例１に係る金属閉鎖形スイッチギヤの箱体を示す拡大正面図。
【図５】本発明の実施例２に係る金属閉鎖形スイッチギヤの構成を示す正面図。
【図６】従来の金属閉鎖形スイッチギヤの構成を示す正面図。
【図７】従来の金属閉鎖形スイッチギヤの構成を断面して示す要部側面図。
【符号の説明】
【００１９】
１  箱体
２  開口部
３  握手
４、１２  保護板
５  ボルト
６  孔
７  ナット
１０  係止金具
１０ａ  幅広部
１１  係止孔
１２ａ  鋼板部
１２ｂ  透明部
【図１】
2008228528.tif 000003
【図２】
2008228528.tif 000004
【図３】
2008228528.tif 000005
【図４】
2008228528.tif 000006
【図５】
2008228528.tif 000007
【図６】
2008228528.tif 000008
【図７】
2008228528.tif 000009